(57)【要約】【課題】「ワン切り」問題に対処すると共に、従来の利用も可能な通信端末装置、通信システム、着信履歴表示方法およびプログラムを提供することにある。【解決手段】制御部２７は、注意業者ファイルをアップデートしながら待ち受け状態を維持し、通信網側から着信報知を受けると、発呼側端末のＩＤ番号を受信し表示部２９に発呼側端末のＩＤ番号を表示して、タイマーを作動させて呼出継続時間の計測を開始する。制御部２７は、通信端末装置のユーザがキー入力部２８を操作して着信履歴の表示を指示すると、記憶する着信履歴データに基づいて表示部２９に着信履歴の一覧を表示する。不在１の場合は青色に、不在２の場合は黄色に、不在３の場合は赤色に反転表示される。【選択図】図５
2004129166.tif 000002
【特許請求の範囲】
【請求項１】
発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、
呼び出し時間又は呼び出し回数などの呼出継続時間を計測する計測手段と、
前記呼出継続時間を前記着信履歴と関連付けて記憶する記憶手段と、
前記着信履歴及び前記呼出継続時間に基づいて制御を行う制御手段とを具備し、
前記制御手段は、前記表示手段に着信履歴として前記発呼側端末のＩＤ番号を表示する場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うこと、
を特徴とする通信端末装置。
【請求項２】
少なくとも基地局及び通信端末装置からなる通信システムにおいて、
前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、
呼び出し時間又は呼び出し回数などの呼出継続時間を計測する計測手段と、
前記呼出継続時間を前記着信履歴と関連付けて記憶する記憶手段と、
前記着信履歴及び前記呼出継続時間に基づいて制御を行う制御手段とを具備し、
前記制御手段は、前記表示手段に着信履歴として前記発呼側端末のＩＤ番号を表示する場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うこと、
を特徴とする通信システム。
【請求項３】
発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置の着信履歴表示方法において、
呼び出し時間又は呼び出し回数などの呼出継続時間を計測する計測ステップと、
前記呼出継続時間を前記着信履歴と関連付けて記憶する記憶ステップと、
前記着信履歴及び前記呼出継続時間に基づいて制御を行う制御ステップとを含み、
前記制御ステップは、前記表示手段に着信履歴として前記発呼側端末のＩＤ番号を表示する場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うこと、
を特徴とする着信履歴表示方法。
【請求項４】
通信端末装置に着信履歴表示処理手順を実行させるプログラムであって、
前記通信端末装置は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、
前記着信履歴表示処理手順は、
呼び出し時間又は呼び出し回数などの呼出継続時間を計測する計測手順と、
前記呼出継続時間を前記着信履歴と関連付けて記憶する記憶手順と、
前記着信履歴及び前記呼出継続時間に基づいて制御を行う制御手順とを含み、
前記制御手順は、前記表示手段に着信履歴として前記発呼側端末のＩＤ番号を表示する場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、
第１不応答表示を行うこと、
を特徴とするプログラム。
【発明の詳細な説明】
【０００１】
【発明の属する技術分野】本発明は、通信端末装置、着信履歴表示方法およびプログラムに係り、更に詳しくは、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置、着信履歴表示方法およびプログラムに関する。
【０００２】
なお、本発明に係るプログラムの処理手順は、半導体メモリー、ＬＤ（レーザーディスク）、ＨＤ（ハードディスク）、ＦＤ（フレクシブルディスク）、ＭＤ（ミニディスク）、ＣＤ（コンパクトディスク）又はＤＶＤ（デジタルビデオディスク）などの情報記憶媒体に記録して提供される。
【０００３】
【従来の技術】近年、携帯情報端末（ＰＤＡ）や携帯電話機（ＰＤＣ、ＰＨＳ、ＣＤＭＡ移動端末）に代表される通信端末装置の普及は目覚しく、特に携帯電話機では通話料金や本体価格の低下に伴い、一人に一台の時代となりつつあり、若者の間では既に必須アイテムとなっている。
【０００４】
また、通信端末装置の中でも携帯性（例えば、携帯時の誤操作が少ない点）やファッション性および表示画面を大きくできるという点で優れる折り畳み式通信端末装置が人気となっており、ＮＴＴドコモが販売しているＮＥＣ製Ｎ５０３ｉなどは爆発的な売れ行きを示している。そして、現在ではＪ−ＰＨＯＮＥやＫＤＤＩなどの通信事業者もカメラやＧＰＳ機能を付けて差別化した、独自の折り畳み式通信端末装置を続々と発表している。なお、ＮＴＴドコモ、ＮＥＣ、Ｊ−ＰＨＯＮＥ及びＫＤＤＩは登録商標である。
【０００５】
ところで、通信端末装置の普及、特に若者達への大々的な普及に伴い、「ワン切り」と呼ばれる迷惑電話が最近の社会問題の一つとなっている。この「ワン切り」とは、通信端末装置が備える着信履歴機能につけ込んだ悪質な広告配信方法であり、いわゆる出会い系サイトやアダルト系番組を提供する悪徳業者が無作為に（特に、若者達をターゲットとして）携帯電話へ電話をかけ、相手が電話に出る前に（例えば、１コールで）切断して着信履歴を残し、その発呼者番号に電話をかけなおすと有料電話サービスに接続され、音声ガイダンスに従って操作すると、使用料が請求されるというものである。
【０００６】
これに対して、国民生活センター、消費生活センター及び各通信事業者は、インターネットのウェブ上で悪徳業者の電話番号を公開するとともに、「知らない番号の着信記録があっても、かけ直さないで下さい。」というようにして注意を呼びかけている（図７参照）。
【０００７】
なお、本願出願人が先にした特願２００２−７７３４６（特許査定済み）の審査段階において、審査官・篠塚隆様は、その拒絶理由で、「従来の通信端末として、ベルの鳴動回数が「１」〜「５」である第１の場合、ベルの鳴動回数が「６」〜「１０」である第２の場合、ベルの鳴動回数が「１１」以上である第３の場合の３つの場合に分けて、表示時の点滅周期の速さを、第１の場合＞第２の場合＞第３の場合となるようにすることで、ベルの鳴動回数の大きさ、すなわち、発信者からの呼出しの重要度の高さを、発信者番号表示アダプタ１００のユーザに視覚的に訴えるようにすることができる。また、表示部１０７がカラー表示が可能であるならば、表示色を変更するようにすることができる」こと、及び、「折り返し電話をかけるなどの行動を取る」ことが記載されている（例えば、特許文献１参照）、と認定されております。
【０００８】
【特許文献１】
特開２０００−３２１１６号公報（第７頁第１２欄第１４行〜第２５行、第１１頁第２０欄第２１行）。
【０００９】
【他の特許文献】
なお、本願発明に多少は関係すると思われる従来技術としては、特開平１１−１１２６１８、特開平１１−２６１６８４、特開２００１−９４６３７、特開２００１−１１１６７５、特開２００１−１８６２７９、特開２００１−２５７７６６、特開２００１−３４５８９２および特開２００２−１６６９２で既に公開されているが、本願発明とはその趣を全く異にする。
【００１０】
【発明が解決しようとする課題】しかしながら、通信事業者達が、上述した様に注意喚起したとしても、抜本的な対策とはなりえない。何故ならば、着信記録が残っていれば知らない番号であったとしても、その相手を知りたいと思うのが人間の心理であり、また知人や友人が新しい電話番号を知らせてきたとも考えられるので、ほとんどの場合、通信端末装置のユーザは躊躇することなくコールバックするからである。
【００１１】
また、悪徳業者の電話番号がウェブ上で公開されていたとしても、その公開自身を知らないのが常であり、その一方、たとえ知っていたとしても、着信履歴の番号をいちいち照合するようなことはしないからである。
【００１２】
それ以上に、「ワン切り」そのものが携帯電話の利用者の間で幅広く利用されているからである。例えば、恋人同士などでは、男性が通話料を負担するのが通常であり、女性から話したいと思った場合、電話番号を通知して「ワン切り」を行えば、着信履歴を見た男性が折り返し女性に電話をするという約束で用いられており、この場合には何ら問題は発生しないのである。
【００１３】
本発明は、上記の問題点を解決する為になされたものであり、「ワン切り」問題に対処するとともに、従来の利用方法もそのまま維持できる通信端末装置、着信履歴表示方法およびプログラムを提供することを目的とする。
【００１４】
【課題を解決するための手段】請求項１に係る本発明の通信端末装置は、上記の目的を達成するために、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、呼び出し時間又は呼び出し回数などの呼出継続時間を計測する計測手段と、前記呼出継続時間を前記着信履歴と関連付けて記憶する記憶手段と、前記着信履歴及び前記呼出継続時間に基づいて制御を行う制御手段とを具備し、前記制御手段は、前記表示手段に着信履歴として前記発呼側端末のＩＤ番号を表示する場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うことを特徴とする。
【００１５】
請求項２に係る本発明の通信システムは、少なくとも基地局及び通信端末装置からなる通信システムにおいて、前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、呼び出し時間又は呼び出し回数などの呼出継続時間を計測する計測手段と、前記呼出継続時間を前記着信履歴と関連付けて記憶する記憶手段と、前記着信履歴及び前記呼出継続時間に基づいて制御を行う制御手段とを具備し、前記制御手段は、前記表示手段に着信履歴として前記発呼側端末のＩＤ番号を表示する場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うことを特徴とする。
【００１６】
請求項３に係る本発明の着信履歴表示方法は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置の着信履歴表示方法において、呼び出し時間又は呼び出し回数などの呼出継続時間を計測する計測ステップと、前記呼出継続時間を前記着信履歴と関連付けて記憶する記憶ステップと、前記着信履歴及び前記呼出継続時間に基づいて制御を行う制御ステップとを含み、前記制御ステップは、前記表示手段に着信履歴として前記発呼側端末のＩＤ番号を表示する場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うことを特徴とする。
【００１７】
請求項４に係る本発明のプログラムは、通信端末装置に着信履歴表示処理手順を実行させるプログラムであって、前記通信端末装置は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、前記着信履歴表示処理手順は、呼び出し時間又は呼び出し回数などの呼出継続時間を計測する計測手順と、前記呼出継続時間を前記着信履歴と関連付けて記憶する記憶手順と、前記着信履歴及び前記呼出継続時間に基づいて制御を行う制御手順とを含み、前記制御手順は、前記表示手段に着信履歴として前記発呼側端末のＩＤ番号を表示する場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うことを特徴とする。
【００１８】
【実施の形態】まず、請求項に記載の用語の意義を定義する。
【００１９】
呼出継続時間とは、着信から切断までの継続時間であるが、その開始から終了の時点をどこにするかは単なる設計的事項であり、本発明の本質ではない。例えば、着信開始時刻は、自己が呼び出されたことを検出した時、相手番号が通知されてきた時またはリンガーによる呼び出し音の発生、ＬＥＤなどの発光やバイブレータの振動を開始させた時などでよく、一方、着信終了時刻は、ネットワーク側から切断信号がきた時、呼び出しを終了した時または呼接続を終了した時などいずれでもよい。また、呼出継続時間とは、通常は時間情報であるが、例えば「ワン切り」か否かを判断する所定時間が２秒とすると、それよりも短いまたは長いということを判断可能な情報であってもよい。なお、その一般的な方法としては、「ワン切り」を示すフラグを設け、それが立っていれば、ＣＰＵが「ワン切り」と判断する様にプログラムが組まれると予想される。
【００２０】
所定条件とは、例えば、呼出継続時間が所定時間の２秒未満か否か又は２秒以上か否かという判断条件である。
【００２１】
ＩＤ番号とは、電話番号やメールアドレスなど通信相手先を指定するために付与された番号である。
【００２２】
不応答表示とは、例えば、「不在」というアイコンをＬＣＤなどに表示することであり、例えば第１不応答表示を青色で、また第２不応答表示を黄色、第３不応答表示を赤色で表示することにより区別される。
【００２３】
第１不応答表示とは、呼び出し継続時間が２秒以上であるか又は折り返し発呼しても危険はないということを意味するだけの表示である。例えば、後述するように、制御手段は、表示手段に着信履歴として発呼側端末のＩＤ番号を表示する場合、呼出継続時間が２秒以上で所定条件を満足するとき、青色で第１不応答表示を行う一方、呼出継続時間が２秒未満で所定条件を満足しないとき、黄色で第２不応答表示を行うものの、発呼側端末のＩＤ番号が電話帳メモリに登録されている番号の一つと一致したら、通常は青色で第１不応答表示を行うのであるが、青色で点滅させたり、電話帳メモリに登録されている特定の相手ならば金色やその色を点滅させるなど、青色とは全く異なる第１不応答表示を行ってもよい。
【００２４】
第２不応答表示とは、呼び出し継続時間が２秒未満であるか又は折り返し発呼した場合、危険かもしれないということを意味するだけの表示である。
【００２５】
第３不応答表示とは、折り返し発呼した場合、危険ということを意味するだけの表示である。
【００２６】
第１注意情報とは、ワン切りした不明な発呼者を意味するだけの情報である。
【００２７】
第２注意情報とは、注意業者を意味するだけの情報である。
【００２８】
第３注意情報とは、発呼が禁止された電話番号を意味するだけの情報である。
【００２９】
電話帳メモリとは、発着呼に利用される電子電話帳であり、これを利用して発呼することをメモリダイアルと一般に呼ばれている。また、電話帳メモリに登録されている相手が電話をしてきた場合、通知された電話番号に対応する名称を表示できるようになっている。
【００３０】
以下、本発明の実施の形態を図面と共に詳細に説明する。
【００３１】
図１は、本発明に係る通信端末装置の概略を示す構成図であり、図１（ａ）は開いた状態の正面図、図１（ｂ）は側面図、および図１（ｃ）は折り畳んだ状態の側面図である。なお、本発明の通信端末装置は、ＰＤＣ方式やＰＨＳ方式の通信端末装置だけではなく、ＩＳ−９５規格やＩＭＴ−２０００規格（第三世代：Ｗ−ＣＤＭＡ又はＣＤＭＡ２０００）または現在制定中の第四世代規格によるＣＤＭＡ（Ｃｏｄｅ　Ｄｉｖｉｓｉｏｎ　Ｍｕｌｔｉｐｌｅ　Ａｃｃｅｓｓ：符号分割多元接続）通信システムで用いられる通信端末装置に適している。
【００３２】
通信端末装置は、薄い筐体で形成された本体部１（第１の筐体）およびこれと略同じ薄い筐体で形成されたカバー部２（第２の筐体）とで構成される。また、両者をヒンジ機構３により連結し且つこのヒンジ機構３においてカバー部２を本体部１に対して開閉させ、折り畳み状態と開いた状態に設定できるように構成されている。ただし、本発明が折り畳み式の通信端末装置に限定されるわけではなく、従来からのストレートタイプの通信端末装置に適用できる。
【００３３】
図１において、通信端末装置は本体部１と、前記本体部１にはアンテナ１１、電源スイッチ１２、ボリューム１３、受話器１４、表示器１５が配設され、カバー部２には操作キー１６、送話器１７が配設される。更に、前記本体部１とカバー部２の内部には各種の回路構体（図示せず）が内装されている。
【００３４】
また、これらに加えてカバー部２の一部にはリードスイッチ１８が内装され、かつカバー部２を折り畳んだときにこのリードスイッチ１８に対向する本体部１の一部にはリードスイッチ１８を駆動させるためのマグネット（磁石）１９が内装されている。カバー部２を本体部１に折畳んだときには、図１（ｃ）に示すようにリードスイッチ１８が磁石１９に近接されてその磁界内に位置されるため、この磁石の磁力によってリードスイッチ１８がオンするように構成されている。
【００３５】
このリードスイッチ１８は、通信端末装置本体が開閉されたことを検出する開閉検出手段であるが、装置本体の開閉に伴って開閉されるマイクロスイッチ、本体が開いたときの光を検知する光センサ、本体の開き角度を検知するエンコーダーなど既知の検出手段を用いて構成することもできる。
【００３６】
図２は、本発明に係る通信端末装置の構成ブロック図である。
【００３７】
２１は、送受信部であり、アンテナ１１で受信した電波信号を中間周波数帯に変換したり、中間周波数帯の送信信号を無線周波数帯に変換して送信する。
【００３８】
２２は、モデム部であり、送受信信号を変復調する。
【００３９】
２３は、音声コーデック部であり、音声信号の符号化や復号化を行う。
【００４０】
２４は、アナログフロントエンド部であり、符号化された音声信号をディジタル／アナログ変換してレシーバ２６を駆動したり、マイク２５より入力された音声信号をアナログ／ディジタル変換して音声コーデック２３に出力する。
【００４１】
２７は、制御部であり、通話に必要な制御（例えば、位置登録、待受け、リンク確立、ハンドオーバやハンドオフ、発着呼などの制御）、メモリ管理制御や表示制御など通信端末装置の全ての制御（例えば、着信メロディ指定制御、着信メロディ送受信制御、電話番号通知制御および電話番号記憶制御など）を行う。特に、制御部２７は、ネットワーク側が基地局を経由して送信されてくる注意業者の電話番号を受信して記憶するとともに、発呼側端末から呼び出されて不応答の場合には、通知されてきたＩＤ番号、不応答情報及びワン切りを判断するための呼出継続時間情報を着信履歴に記憶し、その後着信履歴の表示指示を受け、ワン切りに該当するときには黄色や赤色で注意表示（第２不応答表示または第３不応答表示）を行う。なお、この実施例では、呼出継続時間が２秒未満の場合、「ワン切り」と判断するものと仮定する。
【００４２】
また、第２不応答表示を行っている発呼側端末のＩＤ番号にコールバック指示を受けると、注意業者の電話番号に該当すれば発呼ルーチンを実行する前に、まず注意表示を行う。さらに、発呼が禁止されている電話番号に該当すれば、発呼できないようにしたり、電話番号そのものを選択できないようにする。
【００４３】
２８は、キー入力部であり、所望の操作に必要なデータを入力する。なおキー入力部２８は、図１における電源スイッチ１２、ボリューム１３および操作キー１６に該当する（但し、リードスイッチ１８を含む場合もある）。
【００４４】
２９は、表示部であり、カラー液晶表示装置（カラーＬＣＤ）やＥＬ表示装置（エレクトロ・ルミネッセンス）、ＰＤＰ（プラズマ・ディスプレイ・パネル）などから成り、発呼者データや画像データなど電話機能に必要なデータを表示する。なお、表示部２９は、図１における表示器１５や閉じた時に情報を表示するサブ表示器（図示せず）および着信ランプ（図示せず）などである。
【００４５】
３０は、記憶部であり、着信履歴データや、発呼や電子メールの送受信に使用する電話帳データ、写真などの画像データ、着信メロディの楽曲データおよび保留メロディデータなどを記憶する。また、記憶部３０は、基地局を経由してネットワーク側から受信した注意業者の電話番号や発呼禁止番号を記憶する。
【００４６】
３１は、ガイダンス発生部であり、注意業者の電話番号や発呼禁止番号に発呼指示した場合、記憶部３０が記憶するガイダンスデータに基づいて、「注意業者の電話番号です。この番号に電話をしますか。」や「呼び出し禁止の電話番号です。」などの音声ガイダンスを発生させてユーザに注意を喚起する。
【００４７】
３２は、外部接続端子であり、ＰＣ（パーソナル・コンピュータ）、ＤＳＣ（デジタル・スチル・カメラ）やＤＶＣ（デジタル・ビデオ・カメラ）などの画像データ入力装置３３から画像データが入力されて、記憶部３０に記憶される。また、ＭＩＤＩ対応音楽装置３４などから外部接続端子３２を経由して入力された着信メロディの楽曲データも記憶することができる。さらに、旧の通信端末装置に記憶されている電話帳データを新の通信端末装置に転送して記憶することができる。
【００４８】
つぎに、上述のように構成された本発明に係る通信端末装置の動作について説明する。
【００４９】
制御部２７は、通信端末装置のユーザが電源スイッチ１２を操作して電源オフの状態からオン状態になると、記憶部３０から制御プログラムを読み出して初期チェックを行う。そして異常がなければ、制御部２７は、基地局と所定の通信手順に従って認証し、位置登録などを行って所謂待ち受け状態に入る。
【００５０】
一方、通信ネットワークが備える網制御装置（図示せず）は、各基地局に最新の注意業者ファイルを送信して記憶させると共に、当該ファイルの最新バージョン情報の報知を指示する。
【００５１】
基地局は、網制御装置から報知指示を受けると、記憶している注意業者ファイルの最新バージョン情報を制御チャネル、報知チャネルまたはページングチャネル中に流すと、それを監視していた通信端末装置の制御部２７は、記憶部３０に記憶している注意業者ファイルのバージョン情報とを比較し、異なっていれば基地局に対して最新の注意業者ファイルの送信を要求するとともに、記憶している注意業者ファイルのバージョン情報を送信する。
【００５２】
基地局は、通信端末装置から送信要求を受けると、受信したバージョン情報から、最新注意業者ファイルとの差分を計算し、作成した差分ファイルを送信すると、通信端末装置の制御部２７は、受信した差分ファイルに基づいて記憶部３０に記憶している注意業者ファイルを修正する。例えば、この差分ファイルとしては、Ｎｏ．１〜Ｎｏ．１００までは無変更で、Ｎｏ．１０１を０３−３５８１−１１０１から０３−３８５１−１１０１に変更し、Ｎｏ．１０２〜Ｎｏ．１１０までを新規追加するという内容である。なお、基地局は、差分を計算して求めたが、各バージョンに対する差分ファイルを予め記憶し、該当する差分ファイルを読み出して、直接送信する様にした方が時間の節約となるのでベターである。
【００５３】
制御部２７は、この様に注意業者ファイルをアップデートしながら待ち受け状態を維持し、通信網側から着信報知を受けると（例えば、自己のＩＤ番号と着信報知の番号との一致を検出すると）、所定の通信手順に従って認証を行った後、発呼側端末のＩＤ番号を受信し、カラーＬＣＤからなる表示部２９に発呼側端末のＩＤ番号または対応する名称を表示して、リンガーを鳴動および着信ランプを点滅させて呼び出し報知を行うと同時に、タイマーを作動させて呼出継続時間の計測を開始する。なお、呼出継続時間は、リンガーを鳴らした回数であってもよい。
【００５４】
そして、制御部２７は、ユーザがキー入力部２８の通話ボタンを操作して応答した場合、又は、基地局から発呼側端末が切断した旨の情報を受け取った場合、呼出継続時間の計測を終了する一方、通信が終了した後に、これらの情報を着信履歴として記憶する。なお、他の実施例として、基地局は、自己が記憶する注意業者ファイルに含まれるＩＤ番号と発呼側端末のＩＤ番号とを比較して、一致するものがある場合には、該ＩＤ番号と共に注意業者情報を付加して送信するようにしてもよい。具体的には、注意業者フラグを１にセットして通信端末装置に送信する。この様にすれば、呼び出した発呼側が注意業者と判明するので、必ずしも通信端末装置の記憶部３０に注意業者ファイルを記憶する必要はなくなる。
【００５５】
図３は、本発明に係る通信端末装置が備える記憶部の概念図であり、本発明に直接関係する構成について以下に詳述する。
【００５６】
記憶部３０は、注意業者メモリ部３０ａ、発呼禁止メモリ部３０ｂ、着信履歴メモリ部３０ｃ、電話帳メモリ部３０ｄおよびその他のメモリ部３０ｅで構成されている。なお、その他のメモリ部３０ｅとしては、制御プログラムメモリ部、発信履歴メモリ部、着信メロディメモリ部、ガイダンスメモリ部、表示データメモリ部や一時的に各種データを記憶するＲＡＭなどが存在するが、周知技術なのでその詳細については説明を省略する。
【００５７】
注意業者メモリ部３０ａは、ネットワーク側が基地局を経由して送信する注意業者の電話番号を記憶するメモリであり、ワン切りに関して苦情を寄せられた悪徳業者のＩＤ番号を自動的にアップデートして記憶する。また、ユーザが、ワン切りした不明な発呼者を表示部２９に表示して、記憶指示をした場合または発呼指示をしなかった場合、注意業者メモリ部３０ａのユーザ記憶領域にＩＤ番号を記憶させることもできる。なお、ユーザが、注意業者メモリ部３０ａにＩＤ番号を記憶させた場合、基地局を経由してネットワーク側に当該ＩＤ番号を送信することにより、通信事業者が把握していない注意業者の電話番号を知らせることができる。そして、知らせを受けた通信事業者は、当該ＩＤ番号を集中監視するであろうから、早期にワン切り対策を講じることができる。
【００５８】
発呼禁止メモリ部３０ｂは、ユーザがキー入力部２８を操作して電話番号やＩＤ番号を直接入力可能であるが、注意業者メモリ部３０ａに記憶する悪徳業者のＩＤ番号を表示して、記憶指示をした場合または発呼指示をしなかった場合、ＩＤ番号を転送して記憶させることもできる。
【００５９】
図４は、本発明に係る通信端末装置が備える記憶部に含まれる着信履歴メモリ部の概念図である。
【００６０】
制御部２７は、呼び出しを受けると着信履歴情報を一旦バッファーメモリに記憶し、通信が終了した時点で、これらの情報をバッファーメモリから着信履歴メモリ部３０ｃに転送して記憶する。着信履歴メモリ部３０ｃは、メモリ番号、ＩＤ番号、着信時刻、呼出継続時間、応答フラグ、注意業者フラグ、発呼禁止フラグおよび電話帳フラグを記憶項目とし、Ｎ個の着信履歴データを記憶するようになっている（但し、Ｎは任意の自然数）。
【００６１】
また、着信の新しい順番に１〜Ｎまでメモリ番号が付与されており、Ｎ個全て記憶している場合に次の着信があると、制御部２７は最新データをメモリ番号１に記憶するために、他のデータを順次下にシフトして更新する。従って、最も古いメモリ番号Ｎのデータは、自動的に消去される。
【００６２】
図４（Ａ）は、この記憶直後の状態であり、図４（Ｂ）は、後述するように、発呼禁止フラグが書き替えられた状態である。
【００６３】
各記憶項目のデータの意味を説明すると、メモリ番号１が最も新しい着信履歴データであって、ＩＤ番号が０６−８７６５−４３２１の発呼者から、着信時刻２００２年０３月１８日１２時３４分５６秒に、継続時間が３．２秒の呼び出しを受け、不応答で（即ち、応答フラグ値＝０）、注意業者ではなく（即ち、注意業者フラグ値＝０）、発呼禁止メモリに登録されており（即ち、発呼禁止フラグ値＝１）、電話帳には登録されていない（即ち、電話帳フラグ値＝０）ということである。なお、各フラグを記憶するに際して、制御部２７は注意業者メモリ部３０ａ、発呼禁止メモリ部３０ｂおよび電話帳メモリ部３０ｄを参照し、登録の有無を判断する。
【００６４】
メモリ番号２は、ＩＤ番号が０３−７６５４−３２１０の発呼者から、着信時刻２００２年０３月１７日０７時４５分４６秒に、継続時間が２．８秒の呼び出しを受け、不応答で（即ち、応答フラグ値＝０）、注意業者であり（即ち、注意業者フラグ値＝１）、発呼禁止メモリに登録されておらず（即ち、発呼禁止フラグ値＝０）、電話帳には登録されていない（即ち、電話帳フラグ値＝０）ということである。
【００６５】
メモリ番号３は、ＩＤ番号が０６−６５４３−２１０９の発呼者から、着信時刻２００２年０３月１０日２２時３２分１４秒に、継続時間が１．２秒の呼び出しを受け、不応答で（即ち、応答フラグ値＝０）、注意業者であり（即ち、注意業者フラグ値＝１）、発呼禁止メモリに登録されておらず（即ち、発呼禁止フラグ値＝０）、電話帳には登録されていない（即ち、電話帳フラグ値＝０）ということである。
【００６６】
メモリ番号Ｎ−２は、ＩＤ番号が０３−４５６７−８９０１の発呼者から、着信時刻２００２年０３月０８日１４時５２分１７秒に、継続時間が８．９秒の呼び出しを受け、応答し（即ち、応答フラグ値＝１）、注意業者ではなく（即ち、注意業者フラグ値＝０）、発呼禁止メモリに登録されておらず（即ち、発呼禁止フラグ値＝０）、電話帳には登録されている（即ち、電話帳フラグ値＝１）ということである。
【００６７】
メモリ番号Ｎ−１は、ＩＤ番号が０３−４５６７−８９０１の発呼者から、着信時刻２００２年０３月０８日１０時０５分２１秒に、継続時間が１．３秒の呼び出しを受け、不応答で（即ち、応答フラグ値＝１）、注意業者ではなく（即ち、注意業者フラグ値＝０）、発呼禁止メモリに登録されておらず（即ち、発呼禁止フラグ値＝０）、電話帳には登録されている（即ち、電話帳フラグ値＝１）ということである。メモリ番号Ｎ−２との相違は、主としてワン切りしたか否かである。
【００６８】
メモリ番号Ｎが最も古い着信履歴データであって、ＩＤ番号が０３−３４５６−７８９０の発呼者から、着信時刻２００２年０３月０８日０８時４５分２１秒に、０．３秒の呼出を受け、不応答で（即ち、応答フラグ値＝０）、注意業者ではなく（即ち、注意業者フラグ値＝０）、発呼禁止ではなく（即ち、発呼禁止フラグ値＝０）、電話帳にも登録されていない（即ち、電話帳フラグ値＝０）ということである。
【００６９】
図５は、本発明に係る通信端末装置が備える表示部の概念図である。
【００７０】
制御部２７は、通信端末装置のユーザがキー入力部２８を操作して着信履歴の表示を指示すると、記憶する着信履歴データに基づいて表示部２９に着信履歴の一覧を表示する。なお、メモリ番号０１が反転表示されているが、これは選択されていることを意味する。また、メモリ番号に対応する不在情報が、不在１の場合は青色に、不在２の場合は黄色に、不在３の場合は赤色に反転表示される。なお又、不在１、不在２、不在３はアイコンであって、それぞれ青色、黄色および赤色に色分けされている。
【００７１】
この状態（即ち、赤色反転表示状態＝発呼禁止フラグが１）で、ユーザが通話キーを操作して選択されているメモリ番号０１に発呼しようとすると、制御部２７は発呼禁止メモリ部３０ｂに登録されているＩＤ番号と認識し、発呼不能情報（例えば、「電話が禁止されています」という文字情報）を表示し、警告音を発生させて所定時間経過後に図５の状態に戻す。ただし、発呼禁止フラグが１の場合には、選択できないようにしてもよい。
【００７２】
この図５の状態で、ユーザが下方向キーを操作してメモリ番号０２を選択すると、制御部２７は注意業者メモリ部３０ａに登録されているＩＤ番号と認識し、メモリ番号０２を黄色で反転表示する。この状態（即ち、黄色反転表示状態＝注意業者フラグが１）で、ユーザが通話キーを操作して選択されているメモリ番号０２に発呼しようとすると、制御部２７は注意業者メモリ部３０ａに登録されているＩＤ番号であるから、警告音を発生させて発呼注意情報（例えば、「電話すると危険です。電話しますか。」という文字情報）を表示して、ユーザのキー入力を待つ。
【００７３】
この状態で、ユーザが通話キーを操作すると、制御部２７はこのＩＤ番号にコールバックするが、一方取消キーが操作されると、前の状態（メモリ番号０２を黄色で反転表示した状態）に戻す。なお、この場合、制御部２７は呼出継続時間が２秒以上なので、注意業者メモリ部３０ａに登録されているＩＤ番号であっても発呼禁止メモリ部３０ｂに登録しない。
【００７４】
この状態で、ユーザが下方向キーを操作してメモリ番号０３を選択すると、制御部２７は注意業者メモリ部３０ａに登録されているＩＤ番号であって、ワン切りと認識し、メモリ番号０３を黄色で反転表示する。この状態（即ち、黄色反転表示状態＝ワン切り条件を満足又は注意業者フラグが１）で、ユーザが通話キーを操作して選択されているメモリ番号０３に発呼しようとすると、制御部２７はワン切り条件を満足するＩＤ番号であるから、警告音を発生させて発呼注意情報（例えば、「電話すると危険です。電話しますか。」という文字情報）を表示して、ユーザのキー入力を待つ。
【００７５】
この状態で、ユーザが通話キーを操作すると、制御部２７はこのＩＤ番号にコールバックするが、一方取消キーが操作されると、前の状態（メモリ番号０３を黄色で反転表示した状態）に戻す。なお、この取消キーが操作された場合、制御部２７は呼出継続時間が２秒未満でワン切り条件を満足するので、このＩＤ番号を注意業者メモリ部３０ａまたは発呼禁止メモリ部３０ｂに登録する。
【００７６】
この状態で、ユーザが下方向キーを数回操作してメモリ番号Ｎ−１を選択すると、制御部２７はワン切り条件を満足する一方、電話帳メモリ部３０ｄに登録されているＩＤ番号であるから、メモリ番号Ｎ−１を青色で反転表示する。この状態（即ち、青色反転表示状態＝電話帳メモリ部３０ｄに登録）で、ユーザが通話キーを操作して選択されているメモリ番号Ｎ−１に発呼指示すれば、制御部２７はコールバックする。
【００７７】
メモリ番号Ｎ−１を選択している状態で、ユーザが下方向キーを操作してメモリ番号Ｎを選択すると、制御部２７は不明な相手からのワン切りと認識し、メモリ番号Ｎを黄色で反転表示する。この状態（即ち、黄色反転表示状態＝ワン切り条件を満足）で、ユーザが通話キーを操作して選択されているメモリ番号Ｎに発呼しようとすると、制御部２７はワン切り条件を満足するＩＤ番号であるから、警告音を発生させて発呼注意情報（例えば、「電話すると危険です。電話しますか。」という文字情報）を表示して、ユーザのキー入力を待つ。
【００７８】
この状態で、ユーザが通話キーを操作すると、制御部２７はこのＩＤ番号にコールバックするが、一方取消キーが操作されると、前の状態（メモリ番号Ｎを黄色で反転表示した状態）に戻す。なお、この取消キーが操作された場合、制御部２７は呼出継続時間が２秒未満でワン切り条件を満足するので、このＩＤ番号を注意業者メモリ部３０ａまたは発呼禁止メモリ部３０ｂに登録する。なお、図４（Ｂ）はＩＤ番号を発呼禁止メモリ部３０ｂに登録した場合を示している。
【００７９】
図６は、本発明に係る通信端末装置が備える表示部の概念図である。
【００８０】
制御部２７は、上記操作が終了すると、図４（Ｂ）に示す通りに自動的に変更登録する。従って、メモリ番号０３とメモリ番号Ｎが不在３となり、赤色で表示される。
【００８１】
なお、上述した通信端末装置の各処理動作を時系列的に処理するステップまたは工程とすることにより、本発明に係る着信履歴表示方法とすることができる。
【００８２】
更に、上述した通信端末装置が具備する制御部が行う各動作の処理手順を規定するプログラムを情報記録媒体（例えば、半導体メモリー、ＬＤ、ＨＤ、ＦＤ、ＭＤ、ＣＤ又はＤＶＤなど）に記憶させ、その処理手順（例えば、アプリケーションプログラム）を各種の情報処理装置にインストールすることにより、同様の動作を行わせることができる。
【００８３】
更に、他の第１実施例を記載すると、例えば通信端末装置が圏外や電源がオフの場合には、基地局は当該通信端末装置に着信報知ができない。そこで、通信ネットワーク側の交換制御装置に当該通信端末装置への着信情報（少なくとも、発呼側のＩＤ情報及び呼出継続時間情報を含む）を記憶させ、圏内や電源がオンとなった場合に、記憶した着信情報を知らせるようにすることもできる。また、通信端末装置は、着信情報を受信した場合、「ワン切り」や悪徳業者に該当しないときには、着信音を発生させる一方、該当するときには、着信音を発生させないようにしてもよい。何故ならば、その様な危険な発呼者をわざわざ知らせる必要もなく、後にユーザが確認すればいいからである。
【００８４】
第２実施例を記載すると、例えばユーザが通信端末装置を買い換えて電話番号が変わった場合、知人に「ワン切り」すると悪徳業者に間違えられる。そこで、ユーザの通信端末装置は、新電話番号に加え、旧電話番号を付加情報として送信し、知人側の通信端末装置は、両電話番号を参照することにより、「ワン切り」や悪徳業者か否かの判断をするようにしてもよい。
【００８５】
【発明の効果】以上説明した様に、本発明に係る通信端末装置、着信履歴表示方法およびプログラムによれば、ウェブ上で公開されているワン切り広告を行う悪徳業者の電話番号をネットワーク側から通信端末装置に記憶させたり、着信呼び出しの際に注意業者情報を送信してくるので、着信履歴を表示させる場合、それらの情報を利用してその都度ユーザに注意喚起したり、発呼そのものを禁止させることができる。
【００８６】
また、ワン切り条件を満足したとしても、当該ＩＤ番号が電話帳メモリに登録されていれば、今までと変わらない発呼処理を行うので、従来の「ワン切り」をそのまま利用することが可能となる。
【図面の簡単な説明】
【図１】本発明に係る通信端末装置の概略を示す構成図である。
【図２】本発明に係る通信端末装置の構成ブロック図である。
【図３】本発明に係る通信端末装置が備える記憶部の概念図である。
【図４】本発明に係る通信端末装置が備える記憶部に含まれる着信履歴メモリ部の概念図である。
【図５】本発明に係る通信端末装置が備える表示部の概念図である。
【図６】本発明に係る通信端末装置が備える表示部の概念図である。
【図７】インターネットのウェブ上で提供されている「ワン切り」に対する注意喚起情報である。
【符号の説明】
１　　　　本体部
２　　　　カバー部
３　　　　ヒンジ機構
１１　　　アンテナ
１２　　　電源スイッチ
１３　　　ボリューム
１４　　　受話器
１５　　　表示器
１６　　　操作キー
１７　　　送話器
１８　　　リードスイッチ
１９　　　マグネット（磁石）
２１　　　送受信部
２２　　　モデム部
２３　　　音声コーデック部
２４　　　アナログフロントエンド
２５　　　マイク
２６　　　レシーバ
２７　　　制御部
２８　　　キー入力部
２９　　　表示部
３０　　　記憶部
３１　　　ガイダンス発生部
３２　　　外部接続端子
３３　　　画像データ入力装置
３４　　　ＭＩＤＩ対応音楽装置
【図１】
2004129166.tif 000003
【図２】
2004129166.tif 000004
【図３】
2004129166.tif 000005
【図４】
2004129166.tif 000006
【図５】
2004129166.tif 000007
【図６】
2004129166.tif 000008
【図７】
2004129166.tif 000009
【手続補正書】
【提出日】平成15年1月23日(2003.1.23)
【手続補正２】
【補正対象書類名】明細書
【補正対象項目名】特許請求の範囲
【補正方法】変更
【補正の内容】
【特許請求の範囲】
【請求項１】
発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、
発呼又は着呼に利用する電話番号を記憶する電話帳メモリと、
呼び出し時間又は呼び出し回数などの呼出継続時間を計測する計測手段と、
前記呼出継続時間を前記着信履歴と関連付けて記憶する記憶手段と、
前記着信履歴及び前記呼出継続時間に基づいて制御を行う制御手段とを具備し、前記制御手段は、前記ＩＤ番号が前記電話帳メモリに登録されている番号の一つと一致したら着信音を発生させる一方、一致しなければ所定時間だけ着信音を発生させず、その後所定時間経過したら着信音を発生させること、
を特徴とする通信端末装置。
【請求項２】
請求項１に記載の通信端末装置において、
前記制御手段は、前記表示手段に着信履歴として前記発呼側端末のＩＤ番号を表示する場合、呼出継続時間情報を含めて不応答表示を行うこと、
を特徴とする通信端末装置。
【請求項３】
請求項２に記載の通信端末装置において、
前記制御手段は、呼出継続時間情報を含めて不応答表示を行う場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うこと、
を特徴とする通信端末装置。
【請求項４】
少なくとも基地局及び通信端末装置からなる通信システムにおいて、
前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、
発呼又は着呼に利用する電話番号を記憶する電話帳メモリと、
呼び出し時間又は呼び出し回数などの呼出継続時間を計測する計測手段と、
前記呼出継続時間を前記着信履歴と関連付けて記憶する記憶手段と、
前記着信履歴及び前記呼出継続時間に基づいて制御を行う制御手段とを具備し、前記制御手段は、前記ＩＤ番号が前記電話帳メモリに登録されている番号の一つと一致したら着信音を発生させる一方、一致しなければ所定時間だけ着信音を発生させず、その後所定時間経過したら着信音を発生させること、
を特徴とする通信システム。
【請求項５】
発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であって、且つ、発呼又は着呼に利用する電話番号を記憶する電話帳メモリを具備する通信端末装置の着信表示方法において、
呼び出し時間又は呼び出し回数などの呼出継続時間を計測する計測ステップと、前記呼出継続時間を前記着信履歴と関連付けて記憶する記憶ステップと、
前記着信履歴及び前記呼出継続時間に基づいて制御を行う制御ステップとを含み、
前記制御ステップは、前記ＩＤ番号が前記電話帳メモリに登録されている番号の一つと一致したら着信音を発生させる一方、一致しなければ所定時間だけ着信音を発生させず、その後所定時間経過したら着信音を発生させること、
を特徴とする着信表示方法。
【請求項６】
通信端末装置に着信表示処理手順を実行させるプログラムであって、
前記通信端末装置は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であって、且つ、発呼又は着呼に利用する電話番号を記憶する電話帳メモリを具備し、
前記着信表示処理手順は、
呼び出し時間又は呼び出し回数などの呼出継続時間を計測する計測手順と、
前記呼出継続時間を前記着信履歴と関連付けて記憶する記憶手順と、
前記着信履歴及び前記呼出継続時間に基づいて制御を行う制御手順とを含み、
前記制御手順は、前記ＩＤ番号が前記電話帳メモリに登録されている番号の一つと一致したら着信音を発生させる一方、一致しなければ所定時間だけ着信音を発生させず、その後所定時間経過したら着信音を発生させること、
を特徴とするプログラム。
【請求項７】
発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、
ネットワーク側が基地局を経由して送信する注意業者の電話番号を自動的にアップデートして記憶したり、又は、不明な発呼者のＩＤ番号を記憶する注意業者メモリ部と、
呼び出し時間又は呼び出し回数などの呼出継続時間を計測する計測手段と、
前記呼出継続時間を前記着信履歴と関連付けて記憶する記憶手段と、
前記通信端末装置の制御を行う制御手段とを具備し、
前記制御手段は、ユーザが前記不明な発呼者を前記表示手段に表示して、記憶指示をした場合又は発呼指示をしなかった場合、前記不明な発呼者のＩＤ番号を前記注意業者メモリ部に記憶すると共に、前記ネットワーク側に前記不明な発呼者のＩＤ番号を送信すること、
を特徴とする通信端末装置。
【請求項８】
少なくとも基地局及び通信端末装置からなる通信システムにおいて、
前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、
発呼又は着呼に利用する電話番号を記憶する電話帳メモリと、
ネットワーク側が基地局を経由して送信する注意業者の電話番号を自動的にアップデートして記憶したり、又は、不明な発呼者のＩＤ番号を記憶する注意業者メモリ部と、
呼び出し時間又は呼び出し回数などの呼出継続時間を計測する計測手段と、
前記呼出継続時間を前記着信履歴と関連付けて記憶する記憶手段と、
前記通信端末装置の制御を行う制御手段とを具備し、
前記制御手段は、ユーザが前記不明な発呼者を前記表示手段に表示して、記憶指示をした場合又は発呼指示をしなかった場合、前記不明な発呼者のＩＤ番号を前記注意業者メモリ部に記憶すると共に、前記ネットワーク側に前記不明な発呼者のＩＤ番号を送信すること、
を特徴とする通信システム。
【手続補正３】
【補正対象書類名】明細書
【補正対象項目名】００１４
【補正方法】変更
【補正の内容】
【００１４】
【課題を解決するための手段】請求項１に係る本発明の通信端末装置は、上記の目的を達成するために、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、発呼又は着呼に利用する電話番号を記憶する電話帳メモリと、呼び出し時間又は呼び出し回数などの呼出継続時間を計測する計測手段と、前記呼出継続時間を前記着信履歴と関連付けて記憶する記憶手段と、前記着信履歴及び前記呼出継続時間に基づいて制御を行う制御手段とを具備し、前記制御手段は、前記ＩＤ番号が前記電話帳メモリに登録されている番号の一つと一致したら着信音を発生させる一方、一致しなければ所定時間だけ着信音を発生させず、その後所定時間経過したら着信音を発生させることを特徴とする。
請求項２に係る本発明の通信端末装置は、請求項１に記載の通信端末装置において、前記制御手段は、前記表示手段に着信履歴として前記発呼側端末のＩＤ番号を表示する場合、呼出継続時間情報を含めて不応答表示を行うことを特徴とする。
請求項３に係る本発明の通信端末装置は、請求項２に記載の通信端末装置において、前記制御手段は、呼出継続時間情報を含めて不応答表示を行う場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うことを特徴とする。


【手続補正４】
【補正対象書類名】明細書
【補正対象項目名】００１５
【補正方法】変更
【補正の内容】
【００１５】
請求項４に係る本発明の通信システムは、少なくとも基地局及び通信端末装置からなる通信システムにおいて、前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、発呼又は着呼に利用する電話番号を記憶する電話帳メモリと、呼び出し時間又は呼び出し回数などの呼出継続時間を計測する計測手段と、前記呼出継続時間を前記着信履歴と関連付けて記憶する記憶手段と、前記着信履歴及び前記呼出継続時間に基づいて制御を行う制御手段とを具備し、前記制御手段は、前記ＩＤ番号が前記電話帳メモリに登録されている番号の一つと一致したら着信音を発生させる一方、一致しなければ所定時間だけ着信音を発生させず、その後所定時間経過したら着信音を発生させることを特徴とする。
請求項５に係る本発明の着信表示方法は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であって、且つ、発呼又は着呼に利用する電話番号を記憶する電話帳メモリを具備する通信端末装置の着信表示方法において、呼び出し時間又は呼び出し回数などの呼出継続時間を計測する計測ステップと、前記呼出継続時間を前記着信履歴と関連付けて記憶する記憶ステップと、前記着信履歴及び前記呼出継続時間に基づいて制御を行う制御ステップとを含み、前記制御ステップは、前記ＩＤ番号が前記電話帳メモリに登録されている番号の一つと一致したら着信音を発生させる一方、一致しなければ所定時間だけ着信音を発生させず、その後所定時間経過したら着信音を発生させることを特徴とする。
請求項６に係る本発明のプログラムは、通信端末装置に着信表示処理手順を実行させるプログラムであって、前記通信端末装置は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であって、且つ、発呼又は着呼に利用する電話番号を記憶する電話帳メモリを具備し、前記着信表示処理手順は、呼び出し時間又は呼び出し回数などの呼出継続時間を計測する計測手順と、前記呼出継続時間を前記着信履歴と関連付けて記憶する記憶手順と、前記着信履歴及び前記呼出継続時間に基づいて制御を行う制御手順とを含み、前記制御手順は、前記ＩＤ番号が前記電話帳メモリに登録されている番号の一つと一致したら着信音を発生させる一方、一致しなければ所定時間だけ着信音を発生させず、その後所定時間経過したら着信音を発生させることを特徴とする。


【手続補正５】
【補正対象書類名】明細書
【補正対象項目名】００１６
【補正方法】変更
【補正の内容】
【００１６】
請求項７に係る本発明の通信端末装置は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、ネットワーク側が基地局を経由して送信する注意業者の電話番号を自動的にアップデートして記憶したり、又は、不明な発呼者のＩＤ番号を記憶する注意業者メモリ部と、呼び出し時間又は呼び出し回数などの呼出継続時間を計測する計測手段と、前記呼出継続時間を前記着信履歴と関連付けて記憶する記憶手段と、前記通信端末装置の制御を行う制御手段とを具備し、前記制御手段は、ユーザが前記不明な発呼者を前記表示手段に表示して、記憶指示をした場合又は発呼指示をしなかった場合、前記不明な発呼者のＩＤ番号を前記注意業者メモリ部に記憶すると共に、前記ネットワーク側に前記不明な発呼者のＩＤ番号を送信することを特徴とする。


【手続補正６】
【補正対象書類名】明細書
【補正対象項目名】００１７
【補正方法】変更
【補正の内容】
【００１７】
請求項８に係る本発明の通信システムは、少なくとも基地局及び通信端末装置からなる通信システムにおいて、前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、発呼又は着呼に利用する電話番号を記憶する電話帳メモリと、ネットワーク側が基地局を経由して送信する注意業者の電話番号を自動的にアップデートして記憶したり、又は、不明な発呼者のＩＤ番号を記憶する注意業者メモリ部と、呼び出し時間又は呼び出し回数などの呼出継続時間を計測する計測手段と、前記呼出継続時間を前記着信履歴と関連付けて記憶する記憶手段と、前記通信端末装置の制御を行う制御手段とを具備し、前記制御手段は、ユーザが前記不明な発呼者を前記表示手段に表示して、記憶指示をした場合又は発呼指示をしなかった場合、前記不明な発呼者のＩＤ番号を前記注意業者メモリ部に記憶すると共に、前記ネットワーク側に前記不明な発呼者のＩＤ番号を送信することを特徴とする。




【手続補正書】
【提出日】平成15年1月27日(2003.1.27)
【手続補正１】
【補正対象書類名】明細書
【補正対象項目名】特許請求の範囲
【補正方法】変更
【補正の内容】
【特許請求の範囲】
【請求項１】
発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、
発呼又は着呼に利用する電話番号を記憶する電話帳メモリと、
呼び出し時間又は呼び出し回数などの呼出継続時間を計測する計測手段と、
前記呼出継続時間を前記着信履歴と関連付けて記憶する記憶手段と、
前記着信履歴及び前記呼出継続時間に基づいて制御を行う制御手段とを具備し、
前記制御手段は、前記ＩＤ番号が前記電話帳メモリに登録されている番号の一つと一致したら着信音を発生させる一方、一致しなければ着信音を発生させず、その後所定時間経過したら着信音を発生させること、
を特徴とする通信端末装置。
【請求項２】
請求項１に記載の通信端末装置において、
前記制御手段は、前記表示手段に着信履歴として前記発呼側端末のＩＤ番号を表示する場合、呼出継続時間情報を含めて不応答表示を行うこと、
を特徴とする通信端末装置。
【請求項３】
請求項２に記載の通信端末装置において、
前記制御手段は、呼出継続時間情報を含めて不応答表示を行う場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うこと、
を特徴とする通信端末装置。
【請求項４】
少なくとも基地局及び通信端末装置からなる通信システムにおいて、
前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、
発呼又は着呼に利用する電話番号を記憶する電話帳メモリと、
呼び出し時間又は呼び出し回数などの呼出継続時間を計測する計測手段と、
前記呼出継続時間を前記着信履歴と関連付けて記憶する記憶手段と、
前記着信履歴及び前記呼出継続時間に基づいて制御を行う制御手段とを具備し、
前記制御手段は、前記ＩＤ番号が前記電話帳メモリに登録されている番号の一つと一致したら着信音を発生させる一方、一致しなければ着信音を発生させず、その後所定時間経過したら着信音を発生させること、
を特徴とする通信システム。
【請求項５】
発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であって、且つ、発呼又は着呼に利用する電話番号を記憶する電話帳メモリを具備する通信端末装置の着信表示方法において、
呼び出し時間又は呼び出し回数などの呼出継続時間を計測する計測ステップと、
前記呼出継続時間を前記着信履歴と関連付けて記憶する記憶ステップと、
前記着信履歴及び前記呼出継続時間に基づいて制御を行う制御ステップとを含み、
前記制御ステップは、前記ＩＤ番号が前記電話帳メモリに登録されている番号の一つと一致したら着信音を発生させる一方、一致しなければ着信音を発生させず、その後所定時間経過したら着信音を発生させること、
を特徴とする着信表示方法。
【請求項６】
通信端末装置に着信表示処理手順を実行させるプログラムであって、
前記通信端末装置は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であって、且つ、発呼又は着呼に利用する電話番号を記憶する電話帳メモリを具備し、
前記着信表示処理手順は、
呼び出し時間又は呼び出し回数などの呼出継続時間を計測する計測手順と、
前記呼出継続時間を前記着信履歴と関連付けて記憶する記憶手順と、
前記着信履歴及び前記呼出継続時間に基づいて制御を行う制御手順とを含み、
前記制御手順は、前記ＩＤ番号が前記電話帳メモリに登録されている番号の一つと一致したら着信音を発生させる一方、一致しなければ着信音を発生させず、その後所定時間経過したら着信音を発生させること、
を特徴とするプログラム。
【請求項７】
発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、
ネットワーク側が基地局を経由して送信する注意業者の電話番号を自動的にアップデートして記憶したり、又は、不明な発呼者のＩＤ番号を記憶する注意業者メモリ部と、
呼び出し時間又は呼び出し回数などの呼出継続時間を計測する計測手段と、
前記呼出継続時間を前記着信履歴と関連付けて記憶する記憶手段と、
前記通信端末装置の制御を行う制御手段とを具備し、
前記制御手段は、ユーザが前記不明な発呼者を前記表示手段に表示して、記憶指示をした場合又は発呼指示をしなかった場合、前記不明な発呼者のＩＤ番号を前記注意業者メモリ部に記憶すると共に、前記ネットワーク側に前記不明な発呼者のＩＤ番号を送信すること、
を特徴とする通信端末装置。
【請求項８】
少なくとも基地局及び通信端末装置からなる通信システムにおいて、
前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、
発呼又は着呼に利用する電話番号を記憶する電話帳メモリと、
ネットワーク側が基地局を経由して送信する注意業者の電話番号を自動的にアップデートして記憶したり、又は、不明な発呼者のＩＤ番号を記憶する注意業者メモリ部と、
呼び出し時間又は呼び出し回数などの呼出継続時間を計測する計測手段と、
前記呼出継続時間を前記着信履歴と関連付けて記憶する記憶手段と、
前記通信端末装置の制御を行う制御手段とを具備し、
前記制御手段は、ユーザが前記不明な発呼者を前記表示手段に表示して、記憶指示をした場合又は発呼指示をしなかった場合、前記不明な発呼者のＩＤ番号を前記注意業者メモリ部に記憶すると共に、前記ネットワーク側に前記不明な発呼者のＩＤ番号を送信すること、
を特徴とする通信システム。
【手続補正２】
【補正対象書類名】明細書
【補正対象項目名】００１４
【補正方法】変更
【補正の内容】
【００１４】
【課題を解決するための手段】請求項１に係る本発明の通信端末装置は、上記の目的を達成するために、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能な通信端末装置において、発呼又は着呼に利用する電話番号を記憶する電話帳メモリと、呼び出し時間又は呼び出し回数などの呼出継続時間を計測する計測手段と、前記呼出継続時間を前記着信履歴と関連付けて記憶する記憶手段と、前記着信履歴及び前記呼出継続時間に基づいて制御を行う制御手段とを具備し、前記制御手段は、前記ＩＤ番号が前記電話帳メモリに登録されている番号の一つと一致したら着信音を発生させる一方、一致しなければ着信音を発生させず、その後所定時間経過したら着信音を発生させることを特徴とする。
請求項２に係る本発明の通信端末装置は、請求項１に記載の通信端末装置において、前記制御手段は、前記表示手段に着信履歴として前記発呼側端末のＩＤ番号を表示する場合、呼出継続時間情報を含めて不応答表示を行うことを特徴とする。
請求項３に係る本発明の通信端末装置は、請求項２に記載の通信端末装置において、前記制御手段は、呼出継続時間情報を含めて不応答表示を行う場合、前記呼出継続時間が所定条件を満足するとき、第１不応答表示を行う一方、前記所定条件を満足しないとき、第２不応答表示を行うものの、前記発呼側端末のＩＤ番号が電話帳メモリに登録されている番号の一つと一致したら、第１不応答表示を行うことを特徴とする。


【手続補正３】
【補正対象書類名】明細書
【補正対象項目名】００１５
【補正方法】変更
【補正の内容】
【００１５】
請求項４に係る本発明の通信システムは、少なくとも基地局及び通信端末装置からなる通信システムにおいて、前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であり、更に、発呼又は着呼に利用する電話番号を記憶する電話帳メモリと、呼び出し時間又は呼び出し回数などの呼出継続時間を計測する計測手段と、前記呼出継続時間を前記着信履歴と関連付けて記憶する記憶手段と、前記着信履歴及び前記呼出継続時間に基づいて制御を行う制御手段とを具備し、前記制御手段は、前記ＩＤ番号が前記電話帳メモリに登録されている番号の一つと一致したら着信音を発生させる一方、一致しなければ着信音を発生させず、その後所定時間経過したら着信音を発生させることを特徴とする。
請求項５に係る本発明の着信表示方法は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であって、且つ、発呼又は着呼に利用する電話番号を記憶する電話帳メモリを具備する通信端末装置の着信表示方法において、呼び出し時間又は呼び出し回数などの呼出継続時間を計測する計測ステップと、前記呼出継続時間を前記着信履歴と関連付けて記憶する記憶ステップと、前記着信履歴及び前記呼出継続時間に基づいて制御を行う制御ステップとを含み、前記制御ステップは、前記ＩＤ番号が前記電話帳メモリに登録されている番号の一つと一致したら着信音を発生させる一方、一致しなければ着信音を発生させず、その後所定時間経過したら着信音を発生させることを特徴とする。
請求項６に係る本発明のプログラムは、通信端末装置に着信表示処理手順を実行させるプログラムであって、前記通信端末装置は、発呼側端末から呼び出されたにも拘わらず、当該呼び出しに対して不応答の場合には、通知された前記発呼側端末のＩＤ番号及び不応答であった旨の情報を着信履歴として記憶すると共に、記憶された前記着信履歴を表示手段に表示して、選択された前記ＩＤ番号に基づいて前記発呼側端末に折り返して発呼することが可能であって、且つ、発呼又は着呼に利用する電話番号を記憶する電話帳メモリを具備し、前記着信表示処理手順は、呼び出し時間又は呼び出し回数などの呼出継続時間を計測する計測手順と、前記呼出継続時間を前記着信履歴と関連付けて記憶する記憶手順と、前記着信履歴及び前記呼出継続時間に基づいて制御を行う制御手順とを含み、前記制御手順は、前記ＩＤ番号が前記電話帳メモリに登録されている番号の一つと一致したら着信音を発生させる一方、一致しなければ着信音を発生させず、その後所定時間経過したら着信音を発生させることを特徴とする。




【手続補正書】
【提出日】平成15年4月16日(2003.4.16)
【手続補正２】
【補正対象書類名】明細書
【補正対象項目名】特許請求の範囲
【補正方法】変更
【補正の内容】
【特許請求の範囲】
【請求項１】
発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能な通信端末装置において、
発呼又は着呼に利用する電話番号を記憶する電話帳メモリと、
呼び出し時間又は呼び出し回数などの呼出継続時間を計測する計測手段と、
前記呼出継続時間を通知された発呼側端末のＩＤ番号と関連付けて記憶する記憶手段と、
前記発呼側端末のＩＤ番号及び前記呼出継続時間に基づいて制御を行う制御手段とを具備し、
前記制御手段は、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、前記表示手段に前記着信履歴メモリに記憶した複数のＩＤ番号を表示する場合、呼出継続時間情報を含めて不応答表示を行うこと、
を特徴とする通信端末装置。
【請求項２】
請求項１に記載の通信端末装置において、
着信音を発生するリンガーと、
前記呼出継続時間と所定時間とを比較して、「ワン切り」か否かを判断する判断手段とを具備し、
前記リンガーは、着信情報を受信した場合、「ワン切り」に該当しないとき、着信音を発生させる一方、該当するとき、着信音を発生させないこと、
を特徴とする通信端末装置。
【請求項３】
発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能な通信端末装置において、
発呼又は着呼に利用する電話番号を記憶する電話帳メモリと、
呼び出し時間又は呼び出し回数などの呼出継続時間を計測する計測手段と、
前記呼出継続時間を通知された発呼側端末のＩＤ番号と関連付けて記憶する記憶手段と、
前記発呼側端末のＩＤ番号及び前記呼出継続時間に基づいて制御を行う制御手段と、
着信音を発生するリンガーと、
前記呼出継続時間と所定時間とを比較して、「ワン切り」か否かを判断する判断手段とを具備し、
前記制御手段は、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、着信情報を受信した場合、「ワン切り」に該当しないとき、前記リンガーの着信音を発生させる一方、該当するとき、着信音を発生させないこと、
を特徴とする通信端末装置。
【請求項４】
少なくとも基地局及び通信端末装置からなる通信システムにおいて、
前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能であり、更に、
発呼又は着呼に利用する電話番号を記憶する電話帳メモリと、
呼び出し時間又は呼び出し回数などの呼出継続時間を計測する計測手段と、
前記呼出継続時間を通知された発呼側端末のＩＤ番号と関連付けて記憶する記憶手段と、
前記発呼側端末のＩＤ番号及び前記呼出継続時間に基づいて制御を行う制御手段と、
着信音を発生するリンガーと、
前記呼出継続時間と所定時間とを比較して、「ワン切り」か否かを判断する判断手段とを具備し、
前記制御手段は、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、着信情報を受信した場合、「ワン切り」に該当しないとき、前記リンガーの着信音を発生させる一方、該当するとき、着信音を発生させないこと、
を特徴とする通信システム。
【請求項５】
発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能であって、且つ、発呼又は着呼に利用する電話番号を記憶する電話帳メモリを具備する通信端末装置の着信情報表示方法において、
呼び出し時間又は呼び出し回数などの呼出継続時間を計測する計測ステップと、前記呼出継続時間を通知された発呼側端末のＩＤ番号と関連付けて記憶する記憶ステップと、
前記発呼側端末のＩＤ番号及び前記呼出継続時間に基づいて制御を行う制御ステップとを含み、
前記制御ステップは、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、前記表示手段に前記着信履歴メモリに記憶した複数のＩＤ番号を表示する場合、呼出継続時間情報を含めて不応答表示を行うこと、
を特徴とする着信情報表示方法。
【請求項６】
請求項５に記載の着信情報表示方法において、
リンガーの着信音を発生させる着信音発生ステップと、
前記呼出継続時間と所定時間とを比較して、「ワン切り」か否かを判断する判断ステップとを含み、
前記着信音発生ステップは、着信情報を受信した場合、「ワン切り」に該当しないとき、前記リンガーの着信音を発生させる一方、該当するとき、着信音を発生させないこと、
を特徴とする着信情報表示方法。
【請求項７】
発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能であって、且つ、発呼又は着呼に利用する電話番号を記憶する電話帳メモリ及び着信音を発生させるリンガーを具備する通信端末装置の着信情報表示方法において、
呼び出し時間又は呼び出し回数などの呼出継続時間を計測する計測ステップと、前記呼出継続時間を通知された発呼側端末のＩＤ番号と関連付けて記憶する記憶ステップと、
前記発呼側端末のＩＤ番号及び前記呼出継続時間に基づいて制御を行う制御ステップと、
前記呼出継続時間と所定時間とを比較して、「ワン切り」か否かを判断する判断ステップとを含み、
前記制御ステップは、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、着信情報を受信した場合、「ワン切り」に該当しないとき、前記リンガーの着信音を発生させる一方、該当するとき、着信音を発生させないこと、
を特徴とする着信情報表示方法。
【請求項８】
通信端末装置に着信情報表示処理手順を実行させるプログラムであって、
前記通信端末装置は、発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能であって、且つ、発呼又は着呼に利用する電話番号を記憶する電話帳メモリ及び着信音を発生させるリンガーを具備し、
前記着信表示処理手順は、
呼び出し時間又は呼び出し回数などの呼出継続時間を計測する計測手順と、
前記呼出継続時間を通知された発呼側端末のＩＤ番号と関連付けて記憶する記憶手順と、
前記発呼側端末のＩＤ番号及び前記呼出継続時間に基づいて制御を行う制御手順と、
前記呼出継続時間と所定時間とを比較して、「ワン切り」か否かを判断する判断手順とを含み、
前記制御手順は、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、着信情報を受信した場合、「ワン切り」に該当しないとき、前記リンガーの着信音を発生させる一方、該当するとき、着信音を発生させないこと、
を特徴とするプログラム。
【手続補正３】
【補正対象書類名】明細書
【補正対象項目名】００１４
【補正方法】変更
【補正の内容】
【００１４】
【課題を解決するための手段】請求項１に係る本発明の通信端末装置は、上記の目的を達成するために、発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能な通信端末装置において、発呼又は着呼に利用する電話番号を記憶する電話帳メモリと、呼び出し時間又は呼び出し回数などの呼出継続時間を計測する計測手段と、前記呼出継続時間を通知された発呼側端末のＩＤ番号と関連付けて記憶する記憶手段と、前記発呼側端末のＩＤ番号及び前記呼出継続時間に基づいて制御を行う制御手段とを具備し、前記制御手段は、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、前記表示手段に前記着信履歴メモリに記憶した複数のＩＤ番号を表示する場合、呼出継続時間情報を含めて不応答表示を行うことを特徴とする。
請求項２に係る本発明の通信端末装置は、請求項１に記載の通信端末装置において、着信音を発生するリンガーと、前記呼出継続時間と所定時間とを比較して、「ワン切り」か否かを判断する判断手段とを具備し、前記リンガーは、着信情報を受信した場合、「ワン切り」に該当しないとき、着信音を発生させる一方、該当するとき、着信音を発生させないことを特徴とする。
請求項３に係る本発明の通信端末装置は、発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能な通信端末装置において、発呼又は着呼に利用する電話番号を記憶する電話帳メモリと、呼び出し時間又は呼び出し回数などの呼出継続時間を計測する計測手段と、前記呼出継続時間を通知された発呼側端末のＩＤ番号と関連付けて記憶する記憶手段と、前記発呼側端末のＩＤ番号及び前記呼出継続時間に基づいて制御を行う制御手段と、着信音を発生するリンガーと、前記呼出継続時間と所定時間とを比較して、「ワン切り」か否かを判断する判断手段とを具備し、前記制御手段は、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、着信情報を受信した場合、「ワン切り」に該当しないとき、前記リンガーの着信音を発生させる一方、該当するとき、着信音を発生させないことを特徴とする。


【手続補正４】
【補正対象書類名】明細書
【補正対象項目名】００１５
【補正方法】変更
【補正の内容】
【００１５】
請求項４に係る本発明の通信システムは、少なくとも基地局及び通信端末装置からなる通信システムにおいて、前記通信端末装置は、前記基地局を経由して、発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能であり、更に、発呼又は着呼に利用する電話番号を記憶する電話帳メモリと、呼び出し時間又は呼び出し回数などの呼出継続時間を計測する計測手段と、前記呼出継続時間を通知された発呼側端末のＩＤ番号と関連付けて記憶する記憶手段と、前記発呼側端末のＩＤ番号及び前記呼出継続時間に基づいて制御を行う制御手段と、着信音を発生するリンガーと、前記呼出継続時間と所定時間とを比較して、「ワン切り」か否かを判断する判断手段とを具備し、前記制御手段は、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、着信情報を受信した場合、「ワン切り」に該当しないとき、前記リンガーの着信音を発生させる一方、該当するとき、着信音を発生させないことを特徴とする。


【手続補正５】
【補正対象書類名】明細書
【補正対象項目名】００１６
【補正方法】変更
【補正の内容】
【００１６】
請求項５に係る本発明の着信情報表示方法は、発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能であって、且つ、発呼又は着呼に利用する電話番号を記憶する電話帳メモリを具備する通信端末装置の着信情報表示方法において、呼び出し時間又は呼び出し回数などの呼出継続時間を計測する計測ステップと、前記呼出継続時間を通知された発呼側端末のＩＤ番号と関連付けて記憶する記憶ステップと、前記発呼側端末のＩＤ番号及び前記呼出継続時間に基づいて制御を行う制御ステップとを含み、前記制御ステップは、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、前記表示手段に前記着信履歴メモリに記憶した複数のＩＤ番号を表示する場合、呼出継続時間情報を含めて不応答表示を行うことを特徴とする。
請求項６に係る本発明の着信情報表示方法は、請求項５に記載の着信情報表示方法において、リンガーの着信音を発生させる着信音発生ステップと、前記呼出継続時間と所定時間とを比較して、「ワン切り」か否かを判断する判断ステップとを含み、前記着信音発生ステップは、着信情報を受信した場合、「ワン切り」に該当しないとき、前記リンガーの着信音を発生させる一方、該当するとき、着信音を発生させないことを特徴とする。
請求項７に係る本発明の着信情報表示方法は、発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能であって、且つ、発呼又は着呼に利用する電話番号を記憶する電話帳メモリ及び着信音を発生させるリンガーを具備する通信端末装置の着信情報表示方法において、呼び出し時間又は呼び出し回数などの呼出継続時間を計測する計測ステップと、前記呼出継続時間を通知された発呼側端末のＩＤ番号と関連付けて記憶する記憶ステップと、前記発呼側端末のＩＤ番号及び前記呼出継続時間に基づいて制御を行う制御ステップと、前記呼出継続時間と所定時間とを比較して、「ワン切り」か否かを判断する判断ステップとを含み、前記制御ステップは、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、着信情報を受信した場合、「ワン切り」に該当しないとき、前記リンガーの着信音を発生させる一方、該当するとき、着信音を発生させないことを特徴とする。


【手続補正６】
【補正対象書類名】明細書
【補正対象項目名】００１７
【補正方法】変更
【補正の内容】
【００１７】
請求項８に係る本発明のプログラムは、通信端末装置に着信情報表示処理手順を実行させるプログラムであって、前記通信端末装置は、発呼側端末から呼び出されたにも拘わらず、当該呼び出しに対して不応答の場合には、通知された前記発呼側端末のＩＤ番号及び不応答であった旨の情報を着信履歴メモリに記憶すると共に、前記着信履歴メモリに記憶した複数のＩＤ番号を表示手段に表示して、選択された１つのＩＤ番号に基づいて発呼側端末に折り返して発呼することが可能であって、且つ、発呼又は着呼に利用する電話番号を記憶する電話帳メモリ及び着信音を発生させるリンガーを具備し、前記着信表示処理手順は、呼び出し時間又は呼び出し回数などの呼出継続時間を計測する計測手順と、前記呼出継続時間を通知された発呼側端末のＩＤ番号と関連付けて記憶する記憶手順と、前記発呼側端末のＩＤ番号及び前記呼出継続時間に基づいて制御を行う制御手順と、前記呼出継続時間と所定時間とを比較して、「ワン切り」か否かを判断する判断手順とを含み、前記制御手順は、呼び出しに対して不応答で、前記表示手段に前記発呼側端末のＩＤ番号又は対応する名称を表示する場合、前記呼出継続時間が所定条件を満足するとき、第１不応答表示を行う一方、前記所定条件を満足しないとき、第２不応答表示を行うものの、前記発呼側端末のＩＤ番号が前記電話帳メモリに登録されている番号の一つと一致したら、第１不応答表示を行うとともに、着信情報を受信した場合、「ワン切り」に該当しないとき、前記リンガーの着信音を発生させる一方、該当するとき、着信音を発生させないことを特徴とする。


【手続補正７】
【補正対象書類名】明細書
【補正対象項目名】００８５
【補正方法】変更
【補正の内容】
【００８５】
【発明の効果】以上説明した様に、本発明に係る通信端末装置、通信システム、着信情報表示方法及びプログラムによれば、ウェブ上で公開されているワン切り広告を行う悪徳業者の電話番号をネットワーク側から通信端末装置に記憶させたり、着信呼び出しの際に注意業者情報を送信してくるので、着信履歴を表示させる場合、それらの情報を利用してその都度ユーザに注意喚起したり、発呼そのものを禁止させることができる。